(57)【要約】【課題】スリーブラベルの利便性を備え、しかも、ラベルによって商品等の被ラベリング物に質感と高級感を与え得るラベル用材料を提供することを目的とする。【解決手段】紙質シートまたは不織布からなる略不透明素材２と、熱収縮性フィルム３とから構成されるラベル用材料であって、両素材２，３は互いに接合されて全体として筒状の形態をなしているとともに、被ラベリング物５を環装し、前記熱収縮性フィルム３の収縮により被ラベリング物５を締め付けて該被ラベリング物５に固体されることを解決手段とする。【選択図】  図１
2005024954.tif 000002
【特許請求の範囲】
【請求項１】
紙質シートまたは不織布からなる略不透明素材（２）と、熱収縮性フィルム（３）とから構成されるラベル用材料であって、
両素材（２，３）は互いに接合されて全体として筒状の形態をなしているとともに、被ラベリング物（５）に環装されて、前記熱収縮性フィルム（３）の収縮により被ラベリング物（５）が締め付けられて該被ラベリング物（５）に固定されることを特徴とするラベル用材料。
【請求項２】
前記略不透明素材（２）は、該略不透明素材（２）および前記熱収縮性フィルム（３）が接着剤を介して接合されている請求項１に記載のラベル用材料。
【請求項３】
前記略不透明素材（２）の少なくとも接着剤を介して接合される表面領域には、樹脂フィルムが積層されてなる請求項２に記載のラベル用材料。
【請求項４】
前記略不透明素材（２）は、ヒートシール性を有するものであり、該略不透明素材（２）および前記熱収縮性フィルム（３）が熱溶着により接合されている請求項１に記載のラベル用材料。
【発明の詳細な説明】
【０００１】
【発明の属する技術分野】
本発明は、ラベル用材料に関する。
【０００２】
【従来の技術】
従来より、ペットボトル等の飲料用容器に商品名や原材料名のラベル表示を行うため、該容器を熱収縮性フィルムで環装し、加熱してフィルムを収縮させてラベリングするいわゆるスリーブラベルが行われている。
【０００３】
かかるスリーブラベルによれば、フィルムが熱により収縮する性質を利用して、円筒形や角筒形の容器等を、複雑なラベル装置を使用せずに容易にラベリングできること、容器に密着するフィルムにより容器を傷や汚れから保護すること等の利便性がある。
【０００４】
ところで、近年、消費者の嗜好が多様化し、同種の商品に多様なグレードのものを取り揃える必要が生じてきている。コンビニエンスストア等で売られているいわゆる高級おにぎりがその良い例であり、高価な食材を使用するとともに、その外装に和紙を用いる等して商品に質感と高級感を与えて差別化が図られている。
【０００５】
【発明が解決しようとする課題】
しかしながら、従来のスリーブラベルでは、前述したような利便性を有するものの、商品の中身に高級品を用いたとしても、容器のラベルからは中身に相応しい質感と高級感を感じることができず、近年の消費者の要求を十分満足させるとは言い難いものであった。
【０００６】
本発明は、上述した問題に鑑みてなされたものであり、スリーブラベルの利便性を備え、しかも、ラベルによって商品等の被ラベリング物に質感と高級感を与え得るラベル用材料を提供することを目的とする。
【０００７】
【課題を解決するための手段】
本発明に係るラベル用材料は、紙質シートまたは不織布からなる略不透明素材と、熱収縮性フィルムとから構成されるラベル用材料であって、両素材は互いに接合されて全体として筒状の形態をなしているとともに、被ラベリング物に環装されて、前記熱収縮性フィルムの収縮により被ラベリング物を締め付けて該被ラベリング物に固定されることを特徴とする。
【０００８】
該ラベル用材料によれば、スリーブラベルの利便性を備え、しかも、略不透明素材として、例えば、レーヨン紙や和紙等の質感や高級感のある素材を用いることで、ラベルによって商品等の被ラベリング物に質感と高級感を与え得るものとなる。
【０００９】
また、前記ラベル用材料にあっては、該略不透明素材が接着剤により接合されていることが好ましい。
【００１０】
かかる好ましい構成によれば、略不透明素材と熱収縮性フィルムとが互いに異質の材料からなるものであっても、両素材の接合が容易に行えるようになる。
【００１１】
更に、前記ラベル用材料にあっては、略不透明素材の少なくとも接着剤を介して接合される表面領域には、樹脂フィルムが積層されてなることが好ましい。
【００１２】
かかる好ましい構成によれば、略不透明素材への接着剤の含浸が防止される等により、略不透明素材と熱収縮性フィルムとの接合がより容易に行えるようになる。
【００１３】
また、前記ラベル用材料にあっては、前記略不透明素材は、ヒートシール性を有するものであり、該略不透明素材および前記熱収縮性フィルムが熱溶着により接合されていることが好ましい。
【００１４】
【発明の実施の形態】
以下、本発明に係るラベル用材料の一実施形態について図面を参照しながら説明する。図１は、本実施形態に係るラベル用材料の斜視図である。該ラベル用材料１は、略不透明素材２と熱収縮性フィルム３とから構成され、両素材２，３は互いに接合されて全体として筒状の形態をなしている。この略不透明素材とは、光を全く透過しないか、または若干の光は透過するが、その透過の度合いが不完全な素材をいい、紙質シートまたは不織布が代表的なものとして挙げられる。
【００１５】
なお、図１に示すラベル用材料１においては、略不透明素材２として、紙質シート、詳しくは、裏面全体に樹脂フィルムがラミネート（積層）され、帯状に整形された紙が用いられている。また、熱収縮性フィルム３として、延伸加工されたポリエチレン（ＰＥ）フィルムが用いられており、該延伸加工フィルムは、その延伸方向を長手方向として帯状に整形されている。
【００１６】
そして、図１に示すように、該略不透明素材２および前記熱収縮性フィルム３が接着剤により接合されてラベル用材料１は全体として筒状の形態をなしている。詳しくは、略不透明素材２の裏面一端部近傍および熱収縮性フィルム３の表面一端部近傍と、前記略不透明素材２の裏面他端部近傍および熱収縮性フィルム３の表面他端部近傍とがそれぞれ接着剤により、いわゆる背貼（せばり）の形態で貼り合わせられている。また、それら貼合部分４，４´は、それぞれ両素材２，３の幅方向に線状に形成されている。
【００１７】
本実施形態において、紙質シートとしては、紙が好ましく用いられ、中でも、質感と高級感のあるレーヨン紙や和紙等が好ましく用いられる。
【００１８】
また、不織布としては、質感と高級感のある素材が好ましく使用でき、スパンボンド不織布等のいわゆる包装用不織布が好ましく使用できる。
【００１９】
特に、これら紙質シートまたは不織布からなる略不透明素材２の少なくとも接着剤を介して接合される表面領域に、樹脂フィルムがラミネートされてなるものが好ましく用いられる。これにより、略不透明素材２への接着剤の含浸が防止される等により、略不透明素材２と熱収縮性フィルム３との接合がより容易に行えるようになる。また、かかるラミネートされた樹脂フィルム（以下、ラミネート用フィルムという。）としては、熱可塑性フィルムが好ましく用いられ、例えば、ポリエチレン（ＰＥ）、ポリプロピレン（ＰＰ）、ポリエステル（ＰＥＴ）等が挙げられる。これらラミネート用フィルムには、１軸または２軸延伸の延伸加工フィルムの他、無延伸フィルムを用いることができる。
【００２０】
また、熱収縮性フィルム３として、前記したポリエチレン（ＰＥ）フィルム以外に、ポリ塩化ビニリデン（ＰＶＤＣ）、ポリプロピレン（ＰＰ）、ポリエステル（ＰＥＴ）等の延伸加工フィルムを用いることができる。
【００２１】
また、接着剤には、一般に包装用材料に用いられる液体状やゲル状の接着剤の他、有機溶剤を用いて略不透明素材２と熱収縮性フィルム３の一部を溶解させてこれを接着剤とする場合も含む。このような接着剤により略不透明素材２と熱収縮性フィルム３とを接合することにより、両素材２，３が同種の材料からなる場合は勿論のこと、互いに異質の材料からなるものであっても、それらの接合が容易に行えるようになる。
【００２２】
以上のように構成されたラベル用材料１を商品等の被ラベリング物に環装し、前記熱収縮性フィルム３の収縮により被ラベリング物を締め付けて被ラベリング物に固定する。詳しくは、予め略不透明素材２および熱収縮性フィルム３の両端部同士を接着剤で接着して筒状のラベル用材料１を形成しておき、該ラベル用材料１を被ラベリング物に環装した後、このラベル用材料１を加熱し、熱収縮性フィルム３を収縮させて該ラベル用材料１を被ラベリング物に固定する。
【００２３】
本実施形態のラベル用材料１によって、被ラベリング物（ペットボトル）５がラベリングされた状態を図２に示す。図２に示すように、被ラベリング物５の正面部分が紙質シートまたは不織布からなる略不透明素材２によって被覆され、被ラベリング物５の背面部分が透明な熱収縮性フィルム３によって被覆されている。また、被ラベリング物５の側部において、略不透明素材２および熱収縮性フィルム３が接着剤により互いに接合され、これによりラベル用材料１は全体として筒状の形態をなしているとともに、上下方向に延びる線状の貼合部分４，４´（貼合部分４´は図示せず）が略不透明素材２および熱収縮性フィルム３の重なり部分に形成されている。更に、熱収縮性フィルム３が被ラベリング物５の背面部分で収縮しており、ラベル用材料１によって被ラベリング物５がスリーブラベルされている。
【００２４】
以上説明したように、本実施形態のラベル用材料１によれば、商品等の被ラベリング物５を熱収縮性フィルム３の収縮により締め付けて該被ラベリング物５に固定されるので、いわゆるスリーブラベルの利便性を備え、しかも、主として略不透明素材２によって被ラベリング物５に質感と高級感を与え得るものとなる。
【００２５】
例えば、被ラベリング物５の中身に高級品を用いるとともに、略不透明素材２として、レーヨン紙や和紙等を使用すれば、ラベルによって被ラベリング物５に質感と高級感を与えることができ、嗜好が多様化した消費者の要求を充分に満足させることができる。また、貼合部分４，４´の両脇にミシン線を形成しておけば、該ミシン線で両素材２，３を切り離すことで、容易にラベルを開裂することができる。
【００２６】
本発明は上記実施形態に限定されるものではなく、その要旨を逸脱しない範囲で種々の変更が可能である。例えば、上記実施の形態においては、略不透明素材２および熱収縮性フィルム３をいわゆる背貼りの形態で貼り合わせて筒状のラベル用材料１を形成したが、いわゆる合掌貼（がっしょうばり）の形態で貼り合わせることも勿論可能である。
【００２７】
また、略不透明素材２に樹脂フィルムがラミネートされたものの代わりに、略不透明素材２に樹脂材料を直接含浸させたものも使用できる。
【００２８】
また、熱収縮性フィルム３やラミネート用フィルムにポリエステル（ＰＥＴ）等の特に食品のラベリングに適した素材を用いれば、食品を直にラベリングすることも可能である。
【００２９】
また、上記実施の形態のように、略不透明素材２に各種の模様や図柄、商品名や原材料名等を印刷するに留まらず、例えば、略不透明素材２と熱収縮性フィルム３とを色彩や模様で統一する等してラベルの質感と高級感を更に高めることもできる。
【００３０】
また、上記実施形態では、被ラベリング物５に直接筒状のラベル用材料１をスリーブラベルしたが、被ラベリング物５を熱収縮性フィルムでスリーブラベルした後に、別途ラベル用材料１を用いて商品名や原材料名等をスリーブラベルして該ラベルを目立たせることも可能である。
【００３１】
更に、上記実施形態で説明したラベリング法の代わりに、略不透明素材２としてヒートシール性のあるものを用い、該略不透明素材２および熱収縮性フィルム３の一端部同士を熱溶着により貼り合わせた後、被ラベリング物５を包囲（環装）して両素材２，３の他端部同士を熱溶着して貼り合せ、その後ラベル用材料１を加熱して熱収縮性フィルム３を収縮させてラベル用材料１を被ラベリング物５に固定してもよい。
【００３２】
具体的には、上下に配置された略不透明素材２の原反ロールおよび熱収縮性フィルム３の原反ロールからそれぞれ帯状の素材２，３を引き出し、略不透明素材２および熱収縮性フィルム３の各端部近傍同士を幅方向に熱溶着して貼り合わせる。次に、被ラベリング物５を用意し、該被ラベリング物５の一方の面を貼合部分４に対向させた状態で、この被ラベリング物５を略不透明素材２および熱収縮性フィルム３を横断させて、両素材２，３で被ラベリング物５を包囲し、被ラベリング物５の他方の面側において、略不透明素材２および熱収縮性フィルム３を互いに幅方向に熱溶着して貼り合わせる。そして、両素材２，３をそれぞれの端部で切断した後、ラベル用材料１を加熱し、熱収縮性フィルム３を収縮させて被ラベリング物５に固定することにより、ラベル用材料１による被ラベリング物５のラベリングを完了させる。このラベリング法は、特にサイズの大きな商品等をラベリングするときにより低コストで行え、好ましいものとなる。
【００３３】
【発明の効果】
以上のように、本発明によれば、スリーブラベルの利便性を備え、しかも、ラベルによって商品等の被ラベリング物に質感と高級感を与え得るラベル用材料を提供することができる。
【図面の簡単な説明】
【図１】図１は、本発明の一実施形態に係るラベル用材料を示す斜視図である。
【図２】図２は、本発明の一実施形態に係るラベル用材料によって、被ラベリング物がラベリングされた状態を示す斜視図である。
【符号の説明】
１…ラベル用材料、２…略不透明素材、３…熱収縮性フィルム、４，４´…貼合部分、５…被ラベリング物（ペットボトル）
【図１】
2005024954.tif 000003
【図２】
2005024954.tif 000004